(57)【特許請求の範囲】
【請求項１】
分配する成分のための内側ピストンポンプと同心である外側ピストンポンプと、共通制御部とから構成され、前記外側ピストンポンプにはリセット手段が具備されていて、それぞれはピストンを有するピストンチェンバと、流入口と、流出口とを有し、該流出口がセット圧で付勢された逆止弁を介して流出開口部と連通して配置され、該流入口が逆止弁を介して分配する物質源に連通して配置されると共に、該ピストンポンプの各ピストンが該当液体成分を運搬するチャンネルを有する２液成分分配用分配アセンブリにおいて、内側ピストンポンプ（２０）が外側ピストン（６）に対比して小さい自由ストロークを有する内側ピストン（２２）を有すること、停止部（５９）を有する定常ストローク制限部（５５）が外側ピストンポンプ（４）の外側ピストンチェンバ（５）内に存在し、該ストローク制限部が摩擦によって内側ピストン（２２）の停止部（６０）と相互作用をして、その移動距離を制限すると共に、その移動を摩擦に抗して可能にすること、内側ピストン（２２）と外側ピストン（６）とが、互いに封止するように相互作用をすることができると共に、外側ピストンチェンバ（５）の流出口のための能動逆止弁を形成するキャリア手段（１１、５１）から構成されていて、上記全てが、リセット用移動の際には、外側ピストン（６）が内側ピストン（２２）に沿って移動し、かつ、分配アセンブリの外側が部分的に負圧になった場合でも、外側ピストンチェンバ（５）と流出開口部（１０）との間の連通を封止するように構成することを特徴とする２液成分分配用分配アセンブリ。
【請求項２】
請求項１記載の分配アセンブリにおいて、定常ストローク制限部（５５）が環状中間ピストンチェンバ（７０）を画定し、該中間ピストンチェンバ（７０）が１個もしくはそれ以上の狭い通路（７１）によって外側ピストンチェンバ（５）と連通し、かつ、内側ピストン（２２）の停止部（６０）が中間ピストンチェンバ（７０）における中間ピストンを形成することを特徴とする分配アセンブリ。
【請求項３】
請求項２記載の分配アセンブリにおいて、ストローク制限部が、内側ピストンチェンバに固定されその１端に内側に向いた停止部としてのカラー（５９）を有するブシュ（５６）によって形成されていて、該カラーが内側ピストン（２２）の停止部（６０）と相互作用可能であって、ブシュ（５６）の内側面（６３）又は内側ピストンチェンバ（２１）の外側面（６２）のいずれか一方又は両方の、溝及び／又はリブ（６４）によって、１又はそれ以上の通路（７１）が形成されて中間ピストンチェンバ（７０）が外側ピストンチェンバ（５）と連通していることを特徴とする分配アセンブリ。
【請求項４】
請求項１〜３のいずれか記載の分配アセンブリにおいて、少なくとも内側ピストンチェンバ（２１）が、該分配アセンブリの最初の使用前に起動剤で充填されていることを特徴とする分配アセンブリ。
【請求項５】
請求項１〜４のいずれか記載の分配アセンブリにおいて、内側ピストン（２２）と外側ピストン（６）のキャリア手段が、前記ピストン（２２、６）上の封止カラー（５１、１１）で構成され、該カラーは同一方向に斜面成形され、互いに密着されていることを特徴とする分配アセンブリ。
【請求項６】
請求項１〜５のいずれか記載の分配アセンブリにおいて、内側ピストン（２２）の外側壁に局部的に、内側ピストン（２２）の所定移動方向に延伸し、かつ、その停止部（６０）からある距離を離して配置された摩擦リブ（５７）が設けられていて、その距離がストローク制限部（５５）の停止部（５９）の軸方向距離と等しいかもしくはその距離より大きく設定されていることを特徴とする分配アセンブリ。
【請求項７】
請求項１〜６のいずれか記載の分配アセンブリにおいて、内側ピストン（２２）の自由ストロークが、内側ピストン（２２）と外側ピストン（６）のキャリア手段（５１、１１）を分離し、かつ、外側ピストンチェンバ（５）と流出開口部（１０）との間の連通を開くのに十分なストロークにされたことを特徴とする分配アセンブリ。
【請求項８】
請求項１〜７のいずれか記載の分配アセンブリにおいて、内側ピストンチェンバ（２１）の流出口の逆止弁が、バネ（３３）のセット圧で座部（３１）に附勢されたボール（３０）を有する逆止弁であることを特徴とする分配アセンブリ。
【請求項９】
請求項１〜８のいずれか記載の分配アセンブリにおいて、内側ピストン（２２）が、外側ピストン（６）に比べて流出端で小さな自由ストロークを有し、かつ、流出方向にセット圧にて付勢されているバルブを有し、該バルブが制御部（５０）との相互作用で開口されることを特徴とする分配アセンブリ。
【請求項１０】
請求項９記載の分配アセンブリにおいて、内側ピストン（２２）の前記流出端が、ピストン（２２）内に存在するボール（６６）のための座部（６５）を形成する内側に向いたカラーを有し、該ボールがバネ（６７）によって座部に保持され、制御部が、物質の分配中にボール（６６）をバネ（６７）の作用に抗して座部（６５）から離す方向に押圧することができるバー状部（６９）を有することを特徴とする分配アセンブリ。
【請求項１１】
成分のための２つの室と分配アセンブリとを有するエアゾールであって、分配アセンブリが請求項１〜１０のいずれか記載の分配アセンブリであることを特徴とするエアゾール。
【請求項１２】
請求項１１記載のエアゾールにおいて、エアゾールが主容器と副容器とから構成され、主容器が、１つのピストンチェンバの流入口と連通し、副容器が主容器に収容されかつ他のピストンチェンバの流入口に連通していることを特徴とするエアゾール。
【発明の詳細な説明】
【技術分野】
【０００１】
この発明は、２液成分分配用分配アセンブリに関し、その２液成分分配用分配アセンブリは、分配成分のための内側ピストンポンプと同軸の外側ピストンポンプと、共通制御部と、該ピストンポンプにはリセット手段が配設されていて、各ピストンポンプがピストンと、流入口と、流出口とを設けたピストンチェンバを有し、該流出口が流出開口部と連通して設けられ、その間にはセット圧によって付勢した逆止弁が設けられていると共に、該流入口が分配成分源に連通して設けられ、その間には逆止弁が設けられていて、また、該ピストンポンプのピストンは流出開口部に該当液体成分を運搬するための通路を構成している。
【背景技術】
【０００２】
２重の同軸ポンプを有するかかる分配アセンブリは当該分野では一般に知られていて、容器から多くの種類の液体成分を分配するために使用されている。かかる液体成分は特に限定されるものではなく、水性液体成分からペースト状物質まで多岐に亘っている。
【０００３】
分配する成分の例としては、例えば、接着剤と硬化剤、塗料と硬化剤、化粧製品と反応成分、洗剤と反応成分などがある。
【０００４】
分配成分量の割合は該当部分の寸法を適当に選択することによって、必用に応じて設定できる。
【０００５】
該当成分の流出開口部は、個別の流出開口部の形式であっても、混合チェンバ部などを介設した共通の流出開口部の形式であってもよい。
【０００６】
公知の全ての分配アセンブリには、流出開口部の外側に起こる可能性のある部分的真空によって同軸の内側ピストンと外側ピストンとの間でシール不良が引起こされるという主要な不都合がある。このことは例えば航空機で発生し得る。その場合、外側ピストンチェンバから、両ピストンの間を通して、物質が吸入され、その結果、外側ピストンチェンバに接続する特定成分のための容器から、畢いては流出開口部に連通される。このことは、当然のことながら、望ましいことではない。乾燥などの後でも粘着性がある成分が事実しばしば分配アセンブリで実際に分配されることがある。かかる成分が偶発的に流出した場合には、分配アセンブリのその後の機能は、使用することは不可能ではないが、重大な障害を蒙る。
【０００７】
かかる分配アセンブリの場合に使用される制御部は、一般的には分配アセンブリに設けたプッシュボタンであって、このプッシュボタンは両ポンプと相互に作用する。プッシュボタンが分配物質で汚れることは、使用する者がその指でプッシュボタンを押して分配アセンブリを操作するので望ましいことではない。
【０００８】
その上、アセンブリ全体が、封止（シーリング）キャップや封止（シーリング）カバーが漏れ出ている上記成分によって汚れることによって、停止することがしばしばある。
【発明の開示】
【０００９】
この発明の目的は、上記課題の解決法を提供することであって、その目的のために、この発明は、内側ピストンポンプが該アセンブリの他の部分に相対して小さな自由ストロークを有する内側ピストンから構成されていること、停止部を持つ定常ストローク制限部が外側ピストンポンプの外側ピストンチェンバ内に存在し、その移動距離を制限すると共に、その移動を摩擦に抗して可能にするために、摩擦により該ストローク制限部が内側ピストン上の停止部と相互に作用すること、外側ピストンと内側ピストンとが、互いに封止するように相互に作用しかつ外側ピストンチェンバの流出口のための逆止弁を形成することができるキャリア手段から構成され、上記のもの全部がリセット移動をしているときに、外側ピストンが内側ピストンに沿って移動しかつ外側ピストンチェンバと流出口との間の接続を封止するように構成されている。
【００１０】
内側ピストンの小さな自由ストロークとキャリア手段の存在とによって、外側ピストンと内側ピストンとの間の封止が良好に行われ、それによって、部分的な真空が発生しても、両ピストンの間を通して物質が吸入されることがないことが確保される。換言すれば、外側ピストンチェンバの流出口内の逆止弁が上記キャリア手段によって形成される。先行技術において使用されている多くの逆止弁とは違って、上記逆止弁は能動逆止弁であり、受動逆止弁ではない。分配アセンブリ外部の、つまり、流出開口部外側の部分的真空はまた上記逆止弁の封止作用を促進する。上記全ては図面に記載して更に詳細に説明する。
【００１１】
この発明の分配アセンブリの１つの特別の実施態様では、定常ストローク制限部は、１個またはそれ以上の狭い通路によって外側ピストンチェンバと連通する環状中間ピストンチェンバを構成し、内側ピストン上の停止部が中間ピストンチェンバ内の中間ピストンを形成する。
【００１２】
分配アセンブリが使用されているときは、中間ピストンチェンバは外側ピストンチェンバからの成分で狭い開口部を通して充填され、内側ピストンの移動に際して、その移動の減衰が得られることになり、分配アセンブリ全体の操作に対して非常に有利な影響を与えることになる。このことはそのまま、アセンブリが分配ストローク中であるときに、キャリア手段によって形成された能動逆止弁が信頼性高く開かれることを意味する。
【００１３】
特に、制限部が内側ピストンチェンバに固定されかつその一端に内側に向いたカラーであって中間ピストンと相互作用し得るカラーを有するブシュによって形成される。この場合、ブシュの内側壁か内側ピストンチェンバの外側壁のいずれかまたはその両方の溝ならびに／もしくはリブによって、１個もしくはそれ以上の通路が形成され、それによって内側ピストンチェンバが外側ピストンチェンバと連通する。この有利な実施態様については、図面に記載して詳細に説明する。多くの分配アセンブリ、特に比較的低粘度の成分を分配する分配アセンブリの場合には、いわゆる起動問題がある。この問題とは、つまり、そのアセンブリを初めて使用するときに、物質が実際に分配できる前にある程度の時間が掛かり、成分が分配される前に、使用者が分配アセンブリを数回、ある場合には２５回以上も押さなければならないという問題である。
【００１４】
この問題を解決するために、この発明では、分配アセンブリを初めて使用する前に、少なくとも内側ピストンチェンバを起動剤で充填する。
【００１５】
起動剤はプライマーとしても知られていて、アセンブリが最初の運転ストロークですでに操作され、物質を分配できることを確保するのに有用である。適切なプライマーの例としてはグリセロールがある。プライマーの粘度は、注入する物質の粘度よりも多少高いのが好ましい。もちろん、最終的に使用するプライマーは、分配する物質による。プライマーは分配する物質に対して不活性であるのが好ましい。
【００１６】
内側ピストンならびに外側ピストン上のキャリア手段は、上記ピストン上のカラーを封止する形に設計するのが有利であり、そのカラーは同一方向に斜面成形され、互いに密着するようにする。適切に斜面成形して傾斜させた封止用カラーをピストンに用いることは、外側ピストンのリセット移動がある場合に、外部での部分的真空によって支持された非常に良好な封止が２つのピストン間で得られることを確保する。
【００１７】
ストローク制限部と内側ピストンとの間の摩擦作用は、多くの異なる方法で行われる。例えば、該当部分の相互の寸法は、摩擦が得られるように選択することができる。しかしながら、内側ピストンの外側壁には、摩擦リブが局部的に設けられていて、該リブは、内側ピストンの所定移動方向に延伸しているが、その停止部から距離をおいて、つまり、ストローク制限部からの停止部の軸方向距離と同じかまたはそれより大きい距離をおいて位置することが有利である。上記の全てについては図面に詳細に記載されている。内側ピストンの材質は一般的には比較的軟質なプラスチック物質であり、ストローク制限部はより硬質な、より剛性のあるプラスチックでしばしば作成される。内側ピストンの外側壁全体に亘ってリブを設けないことによって、内側ピストンの物質の緩和（クリープ）が、ある時間後、アセンブリを初めて使用する前に、必要な摩擦を減少させないかまたは消滅さえさせないことが確保される。上記に代えてまたはそれに加えて、摩擦リブはまたストローク制限部の内側壁上に配置することができる。その摩擦リブは、内側ピストンの所望移動方向に延伸しているが、その停止部からある距離、つまり、ストローク制限部の内側壁近傍の中間ピストンの軸方向厚と同一かもしくはそれより大きな距離をおいて位置する。上記全てのことは前記した摩擦リブの場合と同じ理由で配置される。
【００１８】
内側ピストンは小さな自由ストロークを有していて、その自由ストロークは、特に、内側ピストンと外側ピストン上のキャリア手段を解除し、外側ピストンチェンバと分配開口部との連通を開口することができるだけの十分な大きさであればよい。
【００１９】
内側ピストンチェンバの流出口中の逆止弁は、座部中のバネのセット圧にて付勢されたボールを有する逆止弁の形式に設計するのが有利である。
【００２０】
上記の弁に加えてまたはそれに代えて、アセンブリの他の部分に対比して、流出端で小さな自由ストロークを有する内側ピストンは、流出方向にセット圧にて付勢され、制御部との相互作用によって開かれる弁であるのが好ましい。内側ピストンの上記流出端は、内側に向いたカラーで構成するのが特に好ましく、該ピストン中に存在するボールのための座部を形成し、そのボールがバネによって座部に保持されるのが特に好ましい。そして、制御部は、物質の分配中に、バネの作用に抗してボールを座部から離して押圧できるバー状部を有する。上記の全てのことは図面に詳細を示して説明されている。この逆止弁の場合に使用するバネは比較的低いバネ力を持つバネであって、ボールを座部中に保持するのに必要十分なバネ力を持つものが好ましい。分配の起動時点、つまり、分配アセンブリの制御部が操作される時点に、上記逆止弁が最初に開かれることを確保しなければならない。上記バネがまた、内側ピストンチェンバの流出口中に配置された逆止弁のボールに対する附勢手段として使用するようにするのが特に有用である。換言すれば、バネは、内側ピストンチェンバの流出口中の２個の逆止弁に対して、附勢力を提供する２重作用バネであるのが特に有利である。
【００２１】
この発明はまた、成分のための２つの室と分配アセンブリとを有するエアゾールであって、該分配アセンブリがこの発明に係る分配アセンブリであることを特徴とするエアゾールに関する。
【００２２】
この発明に係るエアゾールは、１つのピストンチェンバの流入口に連通する主容器と、他のピストンチェンバの流入口に連通する副容器とから構成されているのが好ましい。
【００２３】
この発明を添付図面を参照して以下に詳細に説明する。
【図面の簡単な説明】
【００２４】
図１は、この発明に係る分配アセンブリの概略断面図である。
図２は、図１の部分Ａの拡大図である。
図３は、図１の分配アセンブリの変形実施態様を示す断面図である。
図４は、図３の分配アセンブリの変形実施態様を示す断面図である。
【発明を実施するための最良の形態】
【００２５】
図１において、分配アセンブリの１つの実施態様が符号１で概略的に示されていて、該分配アセンブリは、内側ねじ山３を有する固定カラー２によって適切な容器（図示せず）に固定することができる。
【００２６】
分配アセンブリ１は２個の同心ピストンポンプ、つまり、外側ピストンポンプ４と内側ピストンポンプ２０とから構成される。最初に外側ピストンポンプ４について説明する。外側ピストンポンプ４は、外側ピストンチェンバ５と外側ピストン６を有する。バネ７はリセット手段として構成される。外側ピストンチェンバ５は、流出チャンネル８に連通していて、流出開口部１０を持つチャンネル９に連通して配置することができる。また、中空ポンプである外側ピストン６には、斜面成形して内側に向いたカラー１１が配置されている。
【００２７】
外側ピストンチェンバ５は、逆止弁１３を持つ流入口１２を有していて、その逆止弁１３は、座部１４と、フランジ１５と、リブ１６との間に収容されたボール１７を有する。
内側ピストンポンプ２０は内側ピストンチェンバ２１と中空内側ピストン２２とを有する。内側ピストンチェンバ２１は、上記チェンバ２１に対する流入口２４中の逆止弁２３を有し、該逆止弁２３は、リブ２６上の突出部２５と座部２７との間に配設されたボール２８を有する。
【００２８】
逆止弁２９はまた中空の内側ピストン２２中に配置され、該逆止弁は座部３１とバネ３３との間に収容されたボール３０から構成されている。かかる連通を改善するために、凹部が突起部３２の間に形成される。逆止弁２９によって、内側ピストンチェンバ２１は、流出チャンネル３５に連通していて、チャンネル３６によって流出開口部１０に連通して配置することができる。
【００２９】
内側ピストン２２はまたその外側に停止部５２を持つ斜面成形されたカラー５１から構成され、該カラーは、外側ピストン６上に配置された、斜面成形されて内側に向いたカラー１１と相互作用をすることができる。
【００３０】
内側ピストン２２は、合同してユニットを形成するピストン部分４０と４１とを有し、部分４２を含むアセンブリの他の部分に対比して小さな自由ストロークを有する。ピストン部分４１は、制御部５０（プッシュボタン）の停止部４４と相互作用をして、ピストン２２の移動を制限する停止部４３を有する。ピストン部分４１は、制御部５０の部分４２中を、拡大して見れば、滑動するように収容される。この目的のために、ピストン部分４１は、互いに対して２つの部分を封止するために設けられた外周突起４７を有する。
【００３１】
分配アセンブリ１は制御部５０で操作可能であって、例えば指で制御部５０を押すことによって操作することができる。
【００３２】
分配アセンブリはまたストローク制限部５５を有し、ストローク制限部について図２を参照して更に説明する。図２において、円で囲った部分Ａを詳細に示している。
【００３３】
図２から明らかなように、ストローク制限部５５は、フランジ１５を有する円筒状ブシュ５６を有し、それはピストンチェンバ５の底部に載置され、局部的に通路５８が設けられ、またフランジ１５はボール１７の移動を制限するのに役立つ。円筒状ブシュ５６は、上側に、内側ピストン２２の停止部６０と相互作用ができる、内側に向いたカラー（停止部）５９を有する。ピストンチェンバ２１は、外側面６２を持つ壁６１を有し、その外側面６２は、壁６１に存在するリブ６４によってストローク制限部５５の円筒状ブシュ５６の内側面６３から多少の距離をおいて配置されている。
【００３４】
符号７０は、このように形成されたチャンネル７１によってピストンチェンバ５と連通する中間ピストンチェンバを示している。中間ピストンチェンバ７０の位置で、内側ピストン２２の移動中に停止部６０とストローク制限部５５との間の摩擦を増加する役をする追加リブ７２が配置されている。
【００３５】
したがって、停止部６０は、中間ピストンチェンバ７０のための中間ピストンとして作用する。
【００３６】
ストローク制限部５５の停止部５９と相互作用できる摩擦リブ５７は、リブ７２に代わってまたはおそらくそれに加えて、ピストン部分４０の外側壁に配置するのが好ましい。
【００３７】
実際のストローク制限部５５は、内側ピストン２２よりも、したがって停止部６０よりも剛性が高く、より硬質であるプラスチックで形成される。静止している場合には、停止部６０のプラスチックの緩和によって摩擦が除去されることを確保するために、停止部６０は、摩擦リブ７２と接触しないのが好ましい。
【００３８】
この発明に係る分配アセンブリ１の操作は下記に詳細に説明する。
図１、２に図示するように、分配アセンブリ１は初期（静止）位置に存在する。分配アセンブリを使用しているときには、その分配アセンブリは、固定カラー２によって容器に固定され、該容器は、例えば、流入口１２に接続した主容器と、該主容器に好ましくは収納されかつ内側ピストンチェンバ２１のための流入口２４に連通する副容器とから構成できる。
【００３９】
プッシュボタン（制御部）５０を、例えば、指で押したときには、最初は外側ピストン６が下方に移動し、外側ピストン６の斜面成形したカラー１１と、内側ピストン２２の斜面成形したカラー５１との間の封止が解除される。これによって、物質が流出チャンネル８によってピストンチェンバ５から流出開口部１０に流入する。内側ピストン２２はピストン部分４１と共に、プッシュボタン（制御部）５０と一体に形成された部分４２中に移動する。内側ピストン２２の相対的移動は、リブ５７と停止部５９との間の摩擦と、停止部６０とリブ７２との間の摩擦によって支持される。この状態は、停止部４４が停止部４３に当接するまで継続し、このときには内側ピストンもまた下方に移動し、物質もまたチャンネル３５によってピストンチェンバ２１から流出開口部１０に移動する。この自由ストロークは０．２−０．４ｍｍであるのが好ましい。この分配中には、物質は、チャンネル３６によって内側ピストンチェンバから、外側ピストンチェンバ５からの物質のチャンネル９中に搬送される。この結果、混合物が分配される前に物質は混合される。この場合、２個の別個の流出口または異なるように設計された混合用開口部もまた使用できることは明らかである。逆止弁等は、チャンネル３５とチャンネル９との間に存在するのが好ましく、上記逆止弁は、副容器からの物質がチャンネル３５中の環境と連通するのを防止するのに役に立つ。実際上では、副容器は事実いわゆる反応性成分をしばしば含有する。
【００４０】
逆止弁２９は、ピストンチェンバ２１中のある圧力のときにだけバネ３３のセット圧付近で開口され、そして、２個のカラー１１と５１で形成される逆止弁は、それぞれ内側ならびに外側ピストンの相対的移動によって開口し、それは、カラー（停止部）５９とリブ５７周辺の停止部６０とリブ７２との間の摩擦によって最初のストロークのときに促進されるが、使用中はピストンチェンバ５からピストンチェンバ７０に吸入された成分によって取って代わられる。換言すれば、摩擦リブの摩擦は、ピストンチェンバ７０の減衰作用によって取って代わられる。
【００４１】
プッシュボタン（制御部）５０が物質分配後に解除されるときに、アセンブリはバネ７によって図示した初期位置に戻る。そのときに、逆止弁２３と１３は開口し、物質は、該当容器から流入口１２、２４によってピストンチェンバ５、２１中に吸入される。内側ピストン２２が戻るときに、中間ピストンチェンバ７０は、チャンネル７１と通路５８を通じて外側ピストンチェンバ５からの物質によって充填されるが、また中間ピストン（停止部）６０とリブ６４、７２との間を通過する物質によっても充填される。したがって、次の稼働ストロークでは、内側ピストン２２の下方移動は、中間ピストンチェンバ７０内に存在する物質によって減衰される。このピストンチェンバ内の物質は、狭いチャンネル７１を通して及びリブ６４と７２の間を通して、ピストンチェンバ５内に強制的に戻される。したがって、ピストンもしくは停止部６０が配設された中間ピストンチェンバ７０は内側ピストン２２の移動に対する減衰機として作用する。摩擦リブ７２、５７のそれぞれの効果ならびにピストンチェンバ７０に存在する物質による減衰の効果は、リターンストロークの間において特に重要である。
【００４２】
リターンストロークにおいて、外側ピストン６は最初上方に移動し、次いでカラー１１がカラー５１に接触した後に、内側ピストンがそれらと一緒に上方に沿って移動する。上記カラー１１、５１によって形成された逆止弁は能動逆止弁であり、その封止は、外部の部分的真空、換言すれば、流出開口部１０と、チャンネル９と、チャンネル８を通じた部分真空によって推進される。
【００４３】
最初の稼働ストロークの前に、少なくともピストンチェンバ２１中の分配アセンブリが、起動操作を相当短縮する、換言すれば、物質が分配される前に必要なポンプでの吸入回数を減少することができる、いわゆるプライマーもしくは起動剤を含有するのが有利である。プライマーを内側ピストンチェンバ２１に充填することは、外側ポンプの起動ストローク回数を内側ピストンチェンバの起動ストローク回数に等しくできることを意味する。またプライマーを外側ピストンチェンバ５に充填することによって、外側ポンプの起動ストローク回数を減少することができるが、そのことは、その場合にはまた、より多くの量のプライマーを内側ピストンチェンバ２１中に充填しなければならないことを意味する。
【００４４】
かかるプライマーの例としてはグリセロールが挙げられる。中間ピストンチェンバ７０と、またピストンチェンバ５とにプライマーを充填することもまた有利である。
【００４５】
図３で示す実施態様は、図１で示す実施態様に概略的には対応する。しかしながら、本実施態様においては、チャンネル３６と９とは互いに連通しておらず、両者は外側に開口している。ピストン部４１は、その上端が内側に向いたカラー（座部）６５を有し、該カラーは、バネ６７のセット圧で付勢されているボール６６のための座部としての役目を持ち、ピストン部４１における肩部６８に静止する。制御部５０はピン６９を有し、該ピンの寸法は、該制御部５０が押されたときに、ピン６９がボール６６の封止を解除し、チャンネル３５を流出チャンネル３６と連通するように構成できるようになっている。
【００４６】
この場合、図１で示すバネ３３はもはや必要ではない。なぜならば、内側ピストンチェンバ２１にはチャンネル３５の末端に位置して、座部６５にバネ力で付勢されたボール６６の形で構成された能動逆止弁が配設されているからである。外部での部分的真空は、最後に述べたバルブをより良く封止し、その結果、内側ピストンチェンバ２１からの物質、また、おそらくそれに連通している容器からの物質を吸入することができなくなる。チャンネル中の残留物質もまた外部と接触することができない。かかる物質はしばしば活性成分である。
【００４７】
バネ６７は相対的に低いバネ力を有するのが好ましい。何故ならば、分配の開始時すなわち制御部５０を押圧した時に、他の逆止弁が開口するか該当ポンプのピストンがピストンチェンバ内に移動するよりも前に、ボール６６が最初に座部６５から持上げられることが確保されなければならない。
【００４８】
バネ６７の特に好ましい実施態様を図４に示す。本実施態様においては、分配アセンブリの残りの部分は図３と同一である。この場合のバネ６７は２重作用バネである。そのバネは長くしてあるので、ボール６６とボール３０の双方に対して付勢手段として役立つ。それに加えて、その他の追加の利点としては、本実施態様では、肩部６８を省略できることである。この肩部６８は、図３に示すように座部６５との組合わせにおいてピストン部４１の射出成形問題を生じ、ピストン部４１を射出成形して型から取出す場合に実際問題であった。この問題は図４で示す実施態様の場合には発生しない。
【００４９】
この発明に係る分配アセンブリの全ての部分は、実際には適切なプラスチックで形成することができる。しかしながら、ボールとバネとは一般に金属で形成される。
【図１】
0004007620.tif 000002
【図２】
0004007620.tif 000003
【図３】
0004007620.tif 000004
【図４】
0004007620.tif 000005